(57)【要約】【目的】  楽曲のすべてを消去せず、しかも、再圧縮によらずに高音質／高画質のまま再生ができ、さらに、ユーザが思い描いた音楽を簡単に検索して聞けるようにする「情報再生装置および記憶装置の空き容量増加方法」を提供することである。【構成】  楽曲の圧縮データ（音楽データ）と該楽曲に関する情報(音楽情報)を記憶装置(ＨＤＤ)１５に格納し、該記憶装置から所望の楽曲の音楽データを伸長して再生すると共に該楽曲の音楽情報を出力する情報再生装置である。この情報再生装置において、楽曲特定機能部３４は編集対象の楽曲を特定し、さび部分判定機能部３３は該楽曲において残しておきたい部分をさび部分として求め、楽曲編集機能部３２は該さび部分の圧縮データを1つの独立した楽曲として記憶装置に残し、他の部分は消去する。【選択図】        図４
2006079687.tif 000002
【特許請求の範囲】
【請求項１】
プログラムの圧縮データと該プログラムに関する情報を記憶装置に格納し、該記憶装置から所望のプログラムの圧縮データを読み出しながら伸長して再生すると共に該プログラムの情報を出力する情報再生装置における記憶装置の空き容量増加方法において、
編集対象のプログラムを特定し、
該編集対象プログラムにおいて残しておきたい部分をさび部分として求め、
該さび部分の圧縮データを1つの独立したプログラムとして記憶装置に残し、他の圧縮データ部分を削除する、
ことを特徴とする記憶装置の空き容量増加方法。
【請求項２】
前記プログラムの記録日及び再生回数をプログラムに対応して保存し、再生回数が最小で、記録日が最古のプログラムを編集対象のプログラム候補として表示し、該プログラム候補より編集対象のプログラムを特定する、
ことを特徴とする請求項1記載の記憶装置の空き容量増加方法。
【請求項３】
前記さび部分の位置をプログラムに対応して保存することを特徴とする請求項1記載の記憶装置の空き容量増加方法。
【請求項４】
プログラムの圧縮データと該プログラムに関する情報を記憶装置に格納し、該記憶装置から所望のプログラムの圧縮データを読み出しながら伸長して再生すると共に該プログラムの情報を出力する情報再生装置において、
編集対象のプログラムを特定するプログラム特定手段、
該編集対象プログラムの残しておきたい部分をさび部分として判別する手段、
該さび部分の圧縮データを１つの独立したプログラムとして記憶装置に残し、他の圧縮データ部分を削除するプログラムデータ管理手段、
を備えたことを特徴とする情報再生装置。
【請求項５】
前記プログラムの記録日及び再生回数をプログラムに対応して保存する手段を備え、
前記プログラム特定手段は、再生回数が最小で、記録日が最古のプログラムを編集対象のプログラム候補として表示し、該プログラム候補より編集対象のプログラムを特定する、
ことを特徴とする請求項４記載の情報再生装置。
【請求項６】
前記さび部分の位置情報をプログラムに対応して保存する手段を備え、
前記さび部分取得手段は該位置情報よりさび部分を判別する、
ことを特徴とする請求項４記載の情報再生装置。
【発明の詳細な説明】
【技術分野】
【０００１】
本発明は情報再生装置および記憶装置の空き容量増加方法に係わり、特にプログラムの圧縮データと該プログラムに関する情報を記憶装置に格納し、該記憶装置から所望のプログラムの圧縮データを読み出しながら伸長して再生すると共に、該プログラムの情報を出力する情報再生装置および記憶装置の空き容量増加方法に関する。
【背景技術】
【０００２】
ＨＤＤや半導体メモリなどの大容量記憶装置とＣＤ／ＤＶＤドライブを備えたオーディオ／ビジュアル装置では、大容量記憶装置に多数のプログラム（楽曲や映像）を圧縮して記録（リッピング）し、記録された多数のプログラム（楽曲や映像）の中から所望のプログラムを選択、再生して楽しんでいる。
ところで、ＣＤやＤＶＤだけでなく、インターネット配信による音楽リッピングの回数増加により大容量記憶装置であるＨＤＤの記憶容量が不足することが予想される。また、ＤＶＤや地上波デジタルなどのソースからの映像情報のリッピングも増えて同様にＨＤＤの記憶容量が不足することが予想される。更に、低価格商品では、半導体メモリに音楽をリッピングすることで、直ぐに容量不足になる。
【０００３】
従来、容量が不足すると、あまり聞かない音楽や映像コンテンツを順に消すなどのルールに従って容量を確保することが行なわれる(特許文献１参照)。すなわち、容量不足になると、プログラム情報毎の再生頻度情報を算出し、プログラム識別情報と共に、該再生頻度情報を表示してユーザに消去対象のプログラムを特定させ、特定されたプログラムを消去して空き領域を確保する。
また、別のルールとして圧縮データを再圧縮してビットレートあるいはフレームレートを下げ、これにより容量を確保することが行なわれる(特許文献２、特許文献３参照)。すなわち、容量不足になると使用頻度を監視し、使用頻度が低いファイルを、再圧縮して容量を確保し、あるいは、大容量記憶装置の空き領域が少なくなったとき記録済みデータを再圧縮して容量を確保する。
【特許文献１】特開２００２−２６８９２３号公報
【特許文献２】特開２０００−２９７５６号公報
【特許文献３】特開２０００−２０７８４０号公報
【発明の開示】
【発明が解決しようとする課題】
【０００４】
上記第1の従来技術では,それまで記録していたプログラム(音楽、映像)をすべて消去する。しかし、聞かなくなっても、音楽や映像を消すことはユーザにとってもったいなく感じる。又、再度聞きたくなった時などは、ＣＤを探すのに曲名やアーチスト名を思い出して探す必要があるが、思い出せない場合や思い出すのに時間を要する問題がある。
また、上記第２の従来技術では、再圧縮して空き容量を確保するが、音質が劣化する問題がある。
以上から本発明の目的は、すべて消去せず、しかも、再圧縮によらずに高音質／高画質のまま再生ができ、さらに、ユーザが思い描いた音楽や映像を簡単に検索して聞けるようにすることである。
【課題を解決するための手段】
【０００５】
上記課題は本発明によれば、プログラムの圧縮データと該プログラムに関する情報を記憶装置に格納し、該記憶装置から所望のプログラムの圧縮データを読み出しながら伸長して再生すると共に該プログラムの情報を出力する情報再生装置における記憶装置の空き容量増加方法において、編集対象のプログラムを特定し、該編集対象プログラムにおいて残しておきたい部分をさび部分として求め、該さび部分の圧縮データを1つの独立したプログラムとして記憶装置に残し、他の圧縮データ部分を削除することにより達成される。
上記記憶装置の空き容量増加方法において、前記プログラムの記録日及び再生回数をプログラムに対応して保存し、再生回数が最小で、記録日が最古のプログラムを編集対象のプログラム候補として表示し、該プログラム候補より編集対象のプログラムを特定する。又、上記記憶装置の空き容量増加方法において、前記さび部分の位置をプログラムに対応して保存する。
【０００６】
また、上記課題は本発明によれば、プログラムの圧縮データと該プログラムに関する情報を記憶装置に格納し、該記憶装置から所望のプログラムの圧縮データを読み出しながら伸長して再生すると共に該プログラムの情報を出力する情報再生装置において、編集対象のプログラムを特定するプログラム特定手段、該編集対象プログラムの残しておきたい部分をさび部分として判別する手段、該さび部分の圧縮データを１つの独立したプログラムとして記憶装置に残し、他の圧縮データ部分を削除するプログラムデータ管理手段を備えた情報再生装置により達成される。
上記情報再生装置は更に、前記プログラムの記録日及び再生回数をプログラムに対応して保存する手段を備え、前記プログラム特定手段は、再生回数が最小で、記録日が最古のプログラムを編集対象のプログラム候補として表示し、該プログラム候補より編集対象のプログラムを特定する。
上記情報再生装置は更に、前記さび部分の位置情報をプログラムに対応して保存する手段を備え、前記さび部分取得手段は該位置情報よりさび部分を判別する。
【発明の効果】
【０００７】
本発明によれば、編集対象のプログラムを特定し、該プログラムにおいて残しておきたい部分をさび部分として求め、該さび部分の圧縮データを1つの独立したプログラムとして記憶装置に残し、他の圧縮データ部分を削除するようにしたから、すべて消去せずさび部分を残せ、しかも再圧縮によらず高音質／高画質のまま再生が可能である。また、本発明によれば、ユーザが思い描いた音楽や映像を簡単に検索して、聞くことができる。
【発明を実施するための最良の形態】
【０００８】
楽曲の圧縮データ（音楽データ）と該楽曲に関する情報(音楽情報)を記憶装置に格納し、該記憶装置から所望の楽曲の音楽データを読み出しながら伸長して再生すると共に該楽曲の音楽情報を出力するオーディ装置において、楽曲特定部は編集対象の楽曲を特定し、さび部分判定部は該楽曲において残しておきたい部分をさび部分として求め、楽曲編集部は該さび部分の圧縮データを1つの独立した楽曲として記憶装置に残し、他の部分は消去する。
前記プログラムの記録日及び再生回数をプログラムに対応して保存し、楽曲特定部は、再生回数が最小で、記録日が最古のプログラムを編集対象のプログラム候補として表示し、該プログラム候補より編集対象のプログラムを特定する。
前記さび部分の位置情報をプログラムに対応して保存し、前記さび部分判定部は該位置情報に基づいてさび部分を識別する。
【実施例１】
【０００９】
図１は本発明の情報再生装置としてのオーディオ装置の構成図であり、楽曲をプログラムとした場合である。
オーディオ装置において、ＣＤドライブ１１は、ＣＤを線速度一定でスピンドル回転制御すると共に、フォーカス/トラッキングサーボ制御し、ＣＤ読み込み装置１２は光ピックアップで読み込んだ信号をＥＦＭ処理、ＡＧＣ処理後、デジタル信号処理してＴＯＣ情報と音楽データを発生する。音楽再生装置１３は音楽データを用いてＤＡ変換処理その他の制御を行ってスピーカ１４より再生音を出力する。
ＣＤ読み込み装置１２は、ＣＤから読み取った音楽データをハードディスクＨＤＤ１５に記憶(リッピング)するためには、ＴＯＣ情報及び音楽データを音楽データ管理制御部１６に入力する。音楽データ管理制御部１６は、音楽情報検索装置１６ａ、音楽データ圧縮装置１６ｂ、音楽データ管理装置１６ｃを有している。ローカルデータべース（ローカルCDDB）１７には、図２に示すように曲の音楽情報(ＴＯＣ情報、アルバムタイトル、アーチスト名、曲名／さび部分(開始位置、終了位置)がＣＤ毎に予め記憶されている。
【００１０】
音楽情報検索装置１６ａは、ＴＯＣ情報で特定されるＣＤの音楽情報をローカルＣＤＤＢ １７から取得して音楽データ圧縮装置１６ｂに入力する。音楽データ圧縮装置１６ｂは、曲の音楽データを圧縮すると共にローカルＣＤＤＢ １７から読み出された該曲の音楽情報を該圧縮音楽データに付加して音楽データ管理装置１６ｃに入力する。
又、インターネット接続装置１８はプロバイダーから配信された音楽データ／音楽情報を音楽データ管理装置１６ｃに入力する。なお、図示しないが、ＤＶＤから読み取った音楽データ／音楽情報、地上波デジタル放送より取得した音楽データ／音楽情報も音楽データ管理装置１６ｃに入力する。
音楽データ管理装置１６ｃは、入力された音楽情報付き音楽データを図３のＣ１〜Ｃ３で示すようにＨＤＤ １５に記憶する。音楽情報には、ＴＯＣ情報、アーチスト名、曲名、さび部分(圧縮後の開始位置、終了位置)、記録日、再生回数、編集フラグ（音楽データがさび部分であることを示す）等が含まれている。また、音楽データ管理装置１６ｃは、ＨＤＤ １５から音楽情報付き音楽データを読み出して出力すると共に、ＨＤＤ１５の空き領域を管理する。
【００１１】
音楽データ管理装置１６ｃは、コンピュータ構成になっており、図４に示すように音楽データ管理機能部３１、楽曲編集機能部３２、さび部分判定機能部３３、楽曲特定機能部３４を備えている。音楽データ管理機能部３１は音楽情報付き音楽データをＨＤＤ １５に記憶すると共に所定の音楽情報付き音楽データをＨＤＤから読み出す。楽曲特定機能部３４は編集対象のプログラムを特定し、さび部分判定機能部３３は音楽データのうち残しておきたい部分をさび部分として判別し、楽曲編集機能部３２はさび部分の圧縮データを１つの独立した楽曲として残して音楽情報と共にＨＤＤ１５に記録し、さび部分以外の圧縮データ部分を削除する。
【００１２】
ＨＤＤ １５に記憶された音楽データを再生するには、操作部１９のキー部１９ａより音楽データ管理装置１９ｃの音楽データ管理機能部３１にＨＤＤ再生を要求すれば、音楽データ管理機能部３１はＨＤＤ１５に記録されている曲の音楽データを順に読み出して音楽データ伸長装置２０に入力し、音楽データ伸長装置２０は圧縮音楽データを伸長して音楽再生装置１３に入力し、スピーカ１４より音を出力する。また、操作部１９のキー部１９ａよりランダム再生要求をすれば、音楽データ管理機能部３１はＨＤＤ １５に記憶してある音楽情報リストを送信してくるから、該リストを表示部１９ｂに表示し、所望の音楽を選択する。リスト表示に際して、さび部分が音楽データとして記憶されている楽曲には所定の識別マークを付加する。なお、所望の曲を集めてホルダー化しておけば、該ホルダーを指定することにより該ホルダーの曲を順番に再生することができる。
【００１３】
図５は音楽データ管理装置１６ｃによる空き領域管理処理フローである。
音楽データ管理装置１６ｃの楽曲特定機能部３４はＨＤＤの空き領域が設定容量以下になったか監視しており(ステップ１０１)、設定容量以下になれば、各楽曲の音楽情報を参照し、再生回数が最小で、記録日が最古の楽曲を編集対象の楽曲候補として表示部１９ｂに表示し(ステップ１０２)、ユーザにより編集対象の楽曲を選択させる。候補が編集対象の楽曲でなければ(ステップ１０３)、ステップ１０２に戻り次の候補を表示させる。
編集対象の楽曲が特定されると、さび部分判定機能部３３は、ステップ１０１〜１０３で特定された楽曲の音楽情報(図３)から、さび部分の位置情報を読み取り、さび部分を決定して楽曲編集機能部３２に渡す(ステップ１０４)。
【００１４】
楽曲編集機能部３２は、さび部分を音楽データとし、また、ＴＯＣ情報、アーチスト名、曲名、編集フラグなどを音楽情報として、それぞれＨＤＤ１５に記録する(ステップ１０５)。なお、音楽情報はＴＯＣ情報、アーチスト名、曲名の少なくとも１つを記録するようにしてもよい。
ついで、ステップ１０１〜１０３で特定された編集対象楽曲の音楽データ、音楽情報をＨＤＤ１５より削除して空きを作り(ステップ１０６)、空き容量が設定容量より大きくなったか監視し(ステップ１０７)、大きくなければステップ１０２以降の処理を繰り返す。しかし、空き容量が設定容量より大きくなれば、空き領域作成処理を終了し、リッピングを行なう(ステップ１０８)。
【００１５】
・変形例
以上では、空き容量が設定容量より小さくなった時に、図５の処理フローに従って空き領域を確保したが、ユーザからの要求により該処理フローに従って空き領域を確保するようにしたり、リッピング時に容量的にリッピングが不可能な場合に該処理フローに従って空き領域を確保するようにもできる。
また、ステップ１０２で再生回数が最小で、記録日が最古のプログラムを編集対象のプログラム候補としたが、本発明はかかる場合に限らず種々の候補決定法が考えられる。
以上では、大容量記憶装置としてＨＤＤを採用したが、半導体メモリ、半導体ディスク装置などの大容量記憶装置を用いることもできる。
以上では、さび部分の位置情報を音楽情報に含めたが、含めないでさび解析エンジン(ソフト)を用いてさび部分を判定することもできる。
以上では楽曲をプログラムとした場合であるが、映像をプログラムとする場合にも本発明を適用できる。
【図面の簡単な説明】
【００１６】
【図１】本発明の情報再生装置としてのオーディオ装置の構成図である。
【図２】曲の音楽情報(ＴＯＣ情報、アルバムタイトル、アーチスト名、曲名／さび部分(開始位置、終了位置)説明図である。
【図３】ＨＤＤに記録された音楽情報付き音楽データの説明図である。
【図４】音楽データ管理装置の説明図である。
【図５】音楽データ管理装置による空き領域管理処理フローである。
【符号の説明】
【００１７】
１５  ＨＤＤ
１６ｃ  音楽データ管理装置
１９  操作部
３１  音楽データ管理機能部
３２  楽曲編集機能部
３３  さび部分判定機能部
３４  楽曲特定機能部
【図１】
2006079687.tif 000003
【図２】
2006079687.tif 000004
【図３】
2006079687.tif 000005
【図４】
2006079687.tif 000006
【図５】
2006079687.tif 000007